(57)【要約】【課題】熱収縮チューブのずれを簡単に防止することができる箸を提供する。【解決手段】箸１は、箸本体２に、装飾４が施され、その装飾４を覆うように、透明な熱収縮チューブ３が嵌められ、かつ、その熱収縮チューブ３が加熱によって収縮密着している。箸本体２は、箸先部側に向かって先細に形成された先細形状部２ａを有し、その先細形状部２ａと、先細形状部２ａに密着する、熱収縮チューブ３の先細部分３ａとが、第１の係合手段５ａとなり、その第１の係合手段５ａにより、熱収縮チューブ３は、箸先部６側から箸頭部７側へと向かう方向のずれが規制される。また、熱収縮チューブ３は、箸頭部７の端面７ａに掛け止められる被掛止部３ｂを有し、その被掛止部３ｂと箸頭部７の端面７ａとが、第２の係合手段５ｂとなり、その第２の係合手段５ｂにより、熱収縮チューブ３は、箸頭部７側から箸先部６側へと向かう方向のずれが規制される。【選択図】  図１
2014195745.tif 000002
【特許請求の範囲】
【請求項１】
箸本体に、装飾が施され、その装飾を覆うように、透明な熱収縮チューブが嵌められ、かつ、その熱収縮チューブが加熱によって収縮密着した、箸であって、
前記熱収縮チューブが前記箸本体の長手方向の両方向へずれないよう、前記箸本体と前記熱収縮チューブとが互いに係り合う係合手段を有し、
前記箸本体は、箸先部側に向かって先細に形成された先細形状部を有し、その先細形状部と、前記熱収縮チューブにおける前記先細形状部に密着する先細部分とが、前記係合手段を構成する第１の係合手段となり、その第１の係合手段により、前記熱収縮チューブは、箸先部側から箸頭部側へと向かう方向のずれが規制され、
前記熱収縮チューブは、箸頭部の端面に掛け止められる被掛止部を有し、その被掛止部と箸頭部の端面とが、前記係合手段を構成する第２の係合手段となり、その第２の係合手段により、前記熱収縮チューブは、箸頭部側から箸先部側へと向かう方向のずれが規制される、箸。
【請求項２】
箸本体に、装飾が施され、その装飾を覆うように、透明な熱収縮チューブが嵌められ、かつ、その熱収縮チューブが加熱によって収縮密着した、箸であって、
前記熱収縮チューブが前記箸本体の長手方向の両方向へずれないよう、前記箸本体と前記熱収縮チューブとが互いに係り合う係合手段を有し、
前記箸本体は、箸先部側に向かって先細に形成された先細形状部を有し、その先細形状部と、前記熱収縮チューブにおける前記先細形状部に密着する先細部分とが、前記係合手段を構成する第１の係合手段となり、その第１の係合手段により、前記熱収縮チューブは、箸先部側から箸頭部側へと向かう方向のずれが規制され、
前記箸本体は、その箸本体の周面を回る環状の凹部を有し、その凹部と、前記熱収縮チューブにおける箸頭部側の端部に位置して前記凹部に掛け止められる被掛止部とが、前記係合手段を構成する第２の係合手段となり、その第２の係合手段により、前記熱収縮チューブは、箸頭部側から箸先部側へと向かう方向のずれが規制される、箸。
【請求項３】
箸本体に、装飾が施され、その装飾を覆うように、透明な熱収縮チューブが嵌められ、かつ、その熱収縮チューブが加熱によって収縮密着した、箸であって、
前記熱収縮チューブが前記箸本体の長手方向の両方向へずれないよう、前記箸本体と前記熱収縮チューブとが互いに係り合う係合手段を有し、
前記箸本体は、その箸本体の周面を回る環状の、凹部または凸部を有し、その凹部または凸部と、前記熱収縮チューブにおける中間に位置して前記凹部または凸部に係合する係合部とが、前記係合手段を構成し、その係合手段を構成する、前記凹部または凸部および前記係合部により、前記熱収縮チューブは、前記箸本体の長手方向の両方向のずれが規制される、箸。
【請求項４】
前記熱収縮チューブは、合成樹脂フィルムまたは合成樹脂シートからなる、請求項１ないし３のいずれか１項に記載の箸。
【発明の詳細な説明】
【技術分野】
【０００１】
この発明は、装飾が施されて透明な熱収縮チューブが密着した箸に関するものである。
【背景技術】
【０００２】
従来、箸本体の表面に熱収縮チューブが密着した箸があった（例えば、特許文献１参照）。この箸は、箸本体に対し、熱収縮チューブの印刷のされていない透明部における内側にホログラム箔が貼り付けられ、これによって、熱収縮チューブと箸本体との間にホログラム箔が介在するものであった。そして、一般には、熱収縮チューブが箸本体の長手方向にずれないよう、熱収縮チューブ上とその熱収縮チューブから箸本体に渡る部分に、透明の樹脂塗料が塗布されていた。
【先行技術文献】
【特許文献】
【０００３】
【特許文献１】特開平１０−１０８７７６号公報
【発明の概要】
【発明が解決しようとする課題】
【０００４】
ところで、前記従来の箸にあっては、熱収縮チューブのずれを防止するために、熱収縮チューブ上とその熱収縮チューブから箸本体に渡る部分に樹脂塗料を塗布する必要があり、その作業が面倒であった。
【０００５】
この発明は、上記した従来の欠点を解決するためになされたものであり、その目的とするところは、熱収縮チューブのずれを簡単に防止することができる箸を提供することにある。
【課題を解決するための手段】
【０００６】
この発明に係る箸は、前記目的を達成するために、次の構成からなる。すなわち、
請求項１に記載の発明に係る箸は、箸本体に、装飾が施され、その装飾を覆うように、透明な熱収縮チューブが嵌められ、かつ、その熱収縮チューブが加熱によって収縮密着した、箸である。この箸は、前記熱収縮チューブが前記箸本体の長手方向の両方向へずれないよう、前記箸本体と前記熱収縮チューブとが互いに係り合う係合手段を有する。ここで、前記箸本体は、箸先部側に向かって先細に形成された先細形状部を有し、その先細形状部と、前記熱収縮チューブにおける前記先細形状部に密着する先細部分とが、前記係合手段を構成する第１の係合手段となり、その第１の係合手段により、前記熱収縮チューブは、箸先部側から箸頭部側へと向かう方向のずれが規制される。また、前記熱収縮チューブは、箸頭部の端面に掛け止められる被掛止部を有し、その被掛止部と箸頭部の端面とが、前記係合手段を構成する第２の係合手段となり、その第２の係合手段により、前記熱収縮チューブは、箸頭部側から箸先部側へと向かう方向のずれが規制される。
【０００７】
この箸によると、箸本体に透明な熱収縮チューブが嵌められ加熱によって収縮密着しているため、箸本体は、その箸本体に施された装飾を含めて保護される。このとき、箸本体と熱収縮チューブとが互いに係り合う係合手段により、熱収縮チューブは、箸本体の長手方向の両方向のずれが防止される。
【０００８】
また、請求項２に記載の発明に係る箸は、箸本体に、装飾が施され、その装飾を覆うように、透明な熱収縮チューブが嵌められ、かつ、その熱収縮チューブが加熱によって収縮密着した、箸である。この箸は、前記熱収縮チューブが前記箸本体の長手方向の両方向へずれないよう、前記箸本体と前記熱収縮チューブとが互いに係り合う係合手段を有する。ここで、前記箸本体は、箸先部側に向かって先細に形成された先細形状部を有し、その先細形状部と、前記熱収縮チューブにおける前記先細形状部に密着する先細部分とが、前記係合手段を構成する第１の係合手段となり、その第１の係合手段により、前記熱収縮チューブは、箸先部側から箸頭部側へと向かう方向のずれが規制される。また、前記箸本体は、その箸本体の周面を回る環状の凹部を有し、その凹部と、前記熱収縮チューブにおける箸頭部側の端部に位置して前記凹部に掛け止められる被掛止部とが、前記係合手段を構成する第２の係合手段となり、その第２の係合手段により、前記熱収縮チューブは、箸頭部側から箸先部側へと向かう方向のずれが規制される。
【０００９】
この箸によると、箸本体に透明な熱収縮チューブが嵌められ加熱によって収縮密着しているため、箸本体は、その箸本体に施された装飾を含めて保護される。このとき、箸本体と熱収縮チューブとが互いに係り合う係合手段により、熱収縮チューブは、箸本体の長手方向の両方向のずれが防止される。
【００１０】
また、請求項３に記載の発明に係る箸は、箸本体に、装飾が施され、その装飾を覆うように、透明な熱収縮チューブが嵌められ、かつ、その熱収縮チューブが加熱によって収縮密着した、箸である。この箸は、前記熱収縮チューブが前記箸本体の長手方向の両方向へずれないよう、前記箸本体と前記熱収縮チューブとが互いに係り合う係合手段を有する。ここで、前記箸本体は、その箸本体の周面を回る環状の、凹部または凸部を有し、その凹部または凸部と、前記熱収縮チューブにおける中間に位置して前記凹部または凸部に係合する係合部とが、前記係合手段を構成し、その係合手段を構成する、前記凹部または凸部および前記係合部により、前記熱収縮チューブは、前記箸本体の長手方向の両方向のずれが規制される。
【００１１】
この箸によると、箸本体に透明な熱収縮チューブが嵌められ加熱によって収縮密着しているため、箸本体は、その箸本体に施された装飾を含めて保護される。このとき、箸本体と熱収縮チューブとが互いに係り合う係合手段により、熱収縮チューブは、箸本体の長手方向の両方向のずれが防止される。
【００１２】
また、請求項４に記載の発明に係る箸のように、請求項１ないし３のいずれか１項に記載の箸において、前記熱収縮チューブは、合成樹脂フィルムまたは合成樹脂シートからなってもよい。
【発明の効果】
【００１３】
この発明に係る箸によれば、箸本体と熱収縮チューブとが互いに係り合うことで、熱収縮チューブのずれを簡単に防止することができる。
【図面の簡単な説明】
【００１４】
【図１】この発明の一実施の形態の、正面図である。
【図２】同じく、要部拡大図であって、（Ａ）は、平面図、（Ｂ）は、縦断面図である。
【図３】この発明の一実施の形態の第１の変形例を示す、要部拡大図であって、（Ａ）は、平面図、（Ｂ）は、縦断面図である。
【図４】この発明の一実施の形態の第２の変形例を示す、要部拡大縦断面図である。
【図５】この発明の他の実施の形態の、要部拡大縦断面図である。
【図６】この発明のさらに他の実施の形態の、要部拡大縦断面図である。
【図７】この発明のさらに他の実施の形態の、要部拡大縦断面図である。
【図８】この発明のさらに他の実施の形態の、要部拡大縦断面図である。
【発明を実施するための形態】
【００１５】
以下、この発明に係る箸を実施するための形態を図面に基づいて説明する。
【００１６】
図１および図２は、本発明の一実施の形態を示す。図中符号１は、箸を示す。２は、箸本体を示す。３は、熱収縮性を備えた筒体である熱収縮チューブを示す。
【００１７】
ここで、箸１は、箸本体２に、装飾４が施され、その装飾４を覆うように、透明な熱収縮チューブ３が嵌められ、かつ、その熱収縮チューブ３が加熱によって収縮密着している。つまり、箸１は、装飾４を覆うように、箸本体２に透明な熱収縮チューブ３が密着して被せられている。この箸１は、前記熱収縮チューブ３が箸本体２の長手方向の両方向へずれないよう、箸本体２と熱収縮チューブ３とが互いに係り合う係合手段５を有する。そして、箸１は、熱収縮チューブ３上とその熱収縮チューブ３から箸本体２に渡る部分に塗料が塗布されることなく、その熱収縮チューブ３が表面に露出した状態で使用（つまり、箸として使用）される。
【００１８】
詳細には、箸本体２は、箸先部６側に向かって先細に形成された先細形状部２ａを有する。そして、その先細形状部２ａと、熱収縮チューブ３における前記先細形状部２ａに密着する先細部分３ａとが、前記係合手段５を構成する第１の係合手段５ａとなり、その第１の係合手段５ａにより、熱収縮チューブ３は、箸先部６側から箸頭部７側へと向かう方向のずれが規制される。また、熱収縮チューブ３は、箸頭部７の天頂面である端面７ａに掛け止められる被掛止部３ｂを有する。そして、その被掛止部３ｂと箸頭部７の端面７ａとが、前記係合手段５を構成する第２の係合手段５ｂとなり、その第２の係合手段５ｂにより、熱収縮チューブ３は、箸頭部７側から箸先部６側へと向かう方向のずれが規制される。
【００１９】
具体的には、箸本体２は、木とか竹等からなる天然の木地８に、合成樹脂、例えば無色透明の合成樹脂の木固め剤が摺り込まれて木固めされており、その箸本体２の木固めされた木固め上に前記装飾４が施されている。詳細には、箸本体２は、箸先部６に、本漆による漆付着部あるいは本漆を主体とする漆による漆付着部が形成され、箸先部６を除く部分９（端面７ａを含む）が、前記木固め剤により木固めされている。なお、前記漆付着部には、例えば、顔料とか、乾漆粉あるいはその他の天然素材の粉状物とかが混入されていてもよい。
【００２０】
また、箸本体２は、その全長が前記先細形状部２ａとなって、前記装飾４は、箸先部６を除くようにして（図示実施の形態においては、箸本体２の中央部から箸頭部７に渡って）施される。この装飾４は、例えば、絵、図、画像、記号、模様、文字あるいは色付け等からなり、図示実施の形態においては、装飾４として、雲の絵が描かれている。ここで、装飾４は、絵の具とかポスターカラー等の塗料を用いて描いたり、油性ペン等のペンを用いて描いたり、彫り込みによって描いてもよく、また、シールや写真や紙や布等、あるいは植物の葉等の天然の素材を張り付けたり巻き付けたりするものであってもよい。
【００２１】
そして、箸本体２は、箸先部６を除く部分９（端面７ａを含む）の所要部が、熱収縮チューブ３によって覆われる。この熱収縮チューブ３は、前述したように、装飾４を覆うように、箸本体２に嵌められ加熱によって収縮密着するが、図示実施の形態においては、熱収縮チューブ３は、木固めした部分（図示実施の形態では、箸先部６を除く部分９）の下部側については覆っていない。そして、木固めした部分の上部側については、熱収縮チューブ３は、箸本体２の周面を覆うとともに箸頭部７の端面７ａを僅かに覆うように延びており、その端面７ａを覆う部分が、前記被掛止部３ｂとなる。つまり、熱収縮チューブ３は、両端が開放した筒状形状となっている。ここで、熱収縮チューブ３は、合成樹脂フィルムからなるが、合成樹脂フィルムよりも厚い合成樹脂シートからなっていてもよい。また、熱収縮チューブ３は、全体が無色透明であるのが好ましいが、有色透明であってもよいし、部分的に模様、記号、文字、色付け等が施されたり描かれたりしていてもよい。
【００２２】
次に、以上の構成からなる箸１の作用効果について説明する。この箸１は、箸本体２に透明な熱収縮チューブ３が嵌められ加熱によって収縮密着している。このため、箸本体２は、その箸本体２に施された装飾４を含めて保護される。このとき、箸本体２と熱収縮チューブ３とが互いに係り合う係合手段５により、熱収縮チューブ３は、箸本体２の長手方向の両方向のずれが防止される。そして、このように、直接、箸本体２と熱収縮チューブ３とが互いに係り合うことで、熱収縮チューブ３のずれを簡単に防止することができる。
【００２３】
また、係合手段５が、箸本体２の先細形状部２ａを利用した第１の係合手段５ａと箸頭部７の端面７ａを利用した第２の係合手段５ｂとで構成されることで、箸本体２に特別の細工を施すことなく、前記係合手段５を構成することができる。
【００２４】
また、箸本体２は、天然の木地８に合成樹脂の木固め剤が摺り込まれて木固めされている。このため、熱収縮チューブ３が破損したり熱収縮チューブ３および装飾４が破損した場合であっても、その破損部分から箸本体２の木地８に水が浸入するのを防ぐことができ、これによって、箸１の耐久性を容易に向上させることができる。
【００２５】
また、箸本体２が、無色透明の合成樹脂の木固め剤により木固めされることで、木固めされた部分のうち装飾４が施されていない部分において、木地８の木目を活かしたままその木地８を保護することができる。
【００２６】
ところで、箸本体２は、箸１の使用者（購入者）が、箸１に任意の装飾４を施したりすることが可能な、自分好みの箸を製作するための箸素材として用いることができる。すなわち、箸本体２に、前記使用者（購入者）が、絵付け、彫り込み、張り付け、巻き付け等によって任意の装飾４を施すことができる。その後、この箸１は、箸１の製造者または販売者に一旦戻されるとともに、その製造者または販売者が、前記装飾４を覆うように、透明な熱収縮チューブ３を嵌めて、その熱収縮チューブ３を加熱によって収縮密着させる。熱収縮チューブ３は、係合手段５によって、箸本体２の長手方向の両方向のずれが防止される。ここで、熱収縮チューブ３による処理は、短時間で行うことができる。このため、熱収縮チューブ３を用いて装飾４を保護すれば、装飾４を覆うように透明な塗料を塗布する必要がなく、短納期で、使用者（購入者）に、その使用者（購入者）自身が装飾４を施した箸１を提供することができる。ここにおいて、熱収縮チューブ３による処理は、製造者または販売者ではなく、使用者（購入者）自身が行ってもよい。
【００２７】
なお、本発明は、上述した実施の形態に限定されるわけではなく、その他種々の変更が可能である。例えば、第２の係合手段５ｂにおいて、熱収縮チューブ３の被掛止部３ｂが、箸頭部７の端面７ａを僅かに覆うが、図３に示すように、箸頭部７の端面７ａを中心近くまで覆うようにしていもよいし、端面７ａ全体を覆うようにしてもよい。また、図４に示すように、箸頭部７が斜めにカットされて、そのカットされた箸頭部７の端面７ａを、熱収縮チューブ３の被掛止部３ｂが覆うようにしてもよい。
【００２８】
また、図５に示すように、箸本体２は、その箸本体２の周面を回る角環状（四角環状その他の多角環状）、円環状などの環状の凹部（つまり溝２ｂ）を有していてもよい。そこで、その溝２ｂと、熱収縮チューブ３における箸頭部７側の端部に位置して溝２ｂに掛け止められる被掛止部３ｂとが、互いに係り合う前記係合手段５を構成する第２の係合手段５ｂとなり、その第２の係合手段５ｂにより、熱収縮チューブ３は、箸頭部７側から箸先部６側へと向かう方向のずれが規制される。
【００２９】
また、図６に示すように、箸本体２は、その箸本体２の周面を回る単数もしくは複数の（図示実施の形態においては、単数の）角環状（四角環状その他の多角環状）、円環状などの環状の凹部（つまり、溝２ｂ）を有する場合において、その溝２ｂと、熱収縮チューブ３における中間に位置して溝２ｂに係合する係合部３ｃとが、互いに係り合う前記係合手段５を構成してもよい。すなわち、その係合手段５を構成する溝２ｂおよび係合部３ｃにより、熱収縮チューブ３は、箸本体２の長手方向の両方向のずれが規制される。
【００３０】
また、図７に示すように、箸本体２が、図６に示す環状の溝２ｂを有し、かつ、熱収縮チューブ３が、図２、図３あるいは図４に示す被掛止部３ｂ、つまり、箸頭部７の端面７ａに掛け止められる被掛止部を有してもよい。そこで、溝２ｂと、熱収縮チューブ３における中間に位置して溝２ｂに係合する係合部３ｃとが、前記係合手段５を構成する。そして、熱収縮チューブ３における被掛止部３ｂと、箸頭部７の端面７ａとが、前記係合手段５を構成する第２の係合手段５ｂとなる。
【００３１】
また、図８に示すように、箸本体２は、図６に示す環状の溝２ｂ（一方の溝２ｂ）に加えて、図５に示す環状の溝２ｂ（他方の溝２ｂ）を有してもよい。そこで、一方の溝２ｂと、熱収縮チューブ３における中間に位置して一方の溝２ｂに係合する係合部３ｃとが、前記係合手段５を構成する。そして、他方の溝２ｂと、熱収縮チューブ３における箸頭部７側の端部に位置して他方の溝２ｂに掛け止められる被掛止部３ｂとが、前記係合手段５を構成する第２の係合手段５ｂとなる。
【００３２】
また、図示を省略するが、箸本体２は、その箸本体２の周面を回る単数もしくは複数の角環状（四角環状その他の多角環状）、円環状などの環状の凸部を有していてもよい。そこで、その凸部と、熱収縮チューブ３における中間に位置して前記凸部に係合する係合部とが、互いに係り合う前記係合手段５を構成し、その係合手段５を構成する凸部および係合部により、熱収縮チューブ３は、箸本体２の長手方向の両方向のずれが規制される。また、これら凸部および係合部に加えて、図７に示す例と同様に、熱収縮チューブ３が、図２、図３あるいは図４に示す被掛止部３ｂ、つまり、箸頭部７の端面７ａに掛け止められる被掛止部を有してもよいし、図８に示す例と同様に、箸本体２が、図５に示す環状の溝２ｂを有し、熱収縮チューブ３における箸頭部７側の端部に位置する被掛止部３ｂが、溝２ｂに掛け止められてもよい。
【００３３】
また、図７とか図８に示す例の他に、箸１には、前述した種々の係合手段５（第１および第２の係合手段５ａ、５ｂを含む）を重畳的に設けてもよいのは勿論である。
【００３４】
また、箸本体２の木固めに用いられる合成樹脂の木固め剤は、無色透明の他、染料等により着色された有色透明のものでもよい。また、箸本体２は、染料で染められたうえで無色透明の合成樹脂の木固め剤により木固めされていてもよい。
【００３５】
また、箸本体２は、木固めされているのが望ましいが、木固めされていなくともよい。
【００３６】
また、箸本体２の木地８として、木とか竹等の天然の素材が用いられなくとも、合成樹脂材が用いられてもよい。
【符号の説明】
【００３７】
１  箸
２  箸本体
２ａ  先細形状部
２ｂ  溝（凹部）
３  熱収縮チューブ
３ａ  先細部分
３ｂ  被掛止部
３ｃ  係合部
４  装飾
５  係合手段
５ａ  第１の係合手段
５ｂ  第２の係合手段
６  箸先部
７  箸頭部
７ａ  端面
８  木地
【図１】
2014195745.tif 000003
【図２】
2014195745.tif 000004
【図３】
2014195745.tif 000005
【図４】
2014195745.tif 000006
【図５】
2014195745.tif 000007
【図６】
2014195745.tif 000008
【図７】
2014195745.tif 000009
【図８】
2014195745.tif 000010